(57)【要約】【課題】２つの基板の間隔を所定の距離に維持しつつ、導電性ペーストを用いて２つの基板を電気的に接続すること。【解決手段】本開示の基板モジュールは、複数の第１パッドを有する第１基板と、複数の第２パッドを有する第２基板と、を備え、前記第１基板と前記第２基板とが電気的に接続されている基板モジュールである。前記第１パッド及び前記第２パッドの少なくとも一方のパッドにスペーサが取り付けられており、前記スペーサが前記第１パッドと前記第２パッドとの間に挟まれた状態で、前記スペーサの挟まれていない前記第１パッドと前記第２パッドとが導電性ペーストによって接合されている。【選択図】図１
2019016678.tif 000002
【特許請求の範囲】
【請求項１】
複数の第１パッドを有する第１基板と、
複数の第２パッドを有する第２基板と、
を備え、
前記第１基板と前記第２基板とが電気的に接続されている基板モジュールであって、
前記第１パッド及び前記第２パッドの少なくとも一方のパッドにスペーサが取り付けられており、
前記スペーサが前記第１パッドと前記第２パッドとの間に挟まれた状態で、前記スペーサの挟まれていない前記第１パッドと前記第２パッドとが導電性ペーストによって接合されている
ことを特徴とする基板モジュール。
【請求項２】
請求項１に記載の基板モジュールであって、
前記第１パッド及び前記第２パッドの少なくとも一方の２つのパッドに前記スペーサが取り付けられている
ことを特徴とする基板モジュール。
【請求項３】
請求項１又は２に記載の基板モジュールであって、
前記スペーサの取り付けられた前記パッドは、接地用のパッドであることを特徴とする基板モジュール。
【請求項４】
請求項１〜３のいずれかに記載の基板モジュールであって、
前記スペーサは、Ｘ線検査時に検出可能に構成されていることを特徴とする基板モジュール。
【請求項５】
請求項４に記載の基板モジュールであって、
前記第１パッドは、Ｘ線検査時に検出可能に構成されており、
前記スペーサは、第２パッドに取り付けられている
ことを特徴とする基板モジュール。
【請求項６】
請求項５に記載の基板モジュールであって、
前記Ｘ線検査時の検査方向から見て、前記スペーサを挟んでいる前記第１パッドは、前記スペーサよりも大きいことを特徴とする基板モジュール。
【請求項７】
請求項１〜６のいずれかに記載の基板モジュールであって、
前記スペーサは、前記第１パッドと第２パッドのそれぞれに取り付けられており、
前記第１パッドに取り付けられた前記スペーサの前記第１パッドとは反対側の端部と、前記第２パッドに取り付けられた前記スペーサの前記第２パッドとは反対側の端部とが接触している
ことを特徴とする基板モジュール。
【請求項８】
請求項７に記載の基板モジュールであって、
前記スペーサは、金属層を積層させて構成されていることを特徴とする基板モジュール。
【請求項９】
請求項１〜８のいずれかに記載の基板モジュールであって、
前記第１基板は、アンテナを有する配線基板であり、
前記第２基板は、前記アンテナを制御する半導体チップである
ことを特徴とする基板モジュール。
【請求項１０】
複数の第１パッドを有する第１基板と、複数の第２パッドを有する第２基板とを準備し、
前記第１基板と前記第２基板とを電気的に接続する
ことを行う基板モジュールの製造方法であって、
前記第１パッド及び前記第２パッドの少なくとも一方のパッドにスペーサが取り付けられており、
前記スペーサを前記第１パッドと前記第２パッドとの間に挟みつつ、前記スペーサの挟まれていない前記第１パッドと前記第２パッドとを導電性ペーストによって接合する
ことを特徴とする基板モジュールの製造方法。
【発明の詳細な説明】
【技術分野】
【０００１】
本発明は、基板モジュール及び基板モジュールの製造方法に関する。
【背景技術】
【０００２】
アンテナを用いて無線通信を行う無線通信モジュールが知られている。例えば、特許文献１には、配線基板と、配線基板に積層接合されたＲＦＩＣチップとを備えた無線通信モジュールが記載されている。
【先行技術文献】
【特許文献】
【０００３】
【特許文献１】特開２０１４−１５０１０２号公報
【発明の概要】
【発明が解決しようとする課題】
【０００４】
特許文献１記載の無線通信モジュールでは、コア付きはんだボールを用いて第１基板と第２基板とを接合させている。これにより、特許文献１では、第１基板と第２基板との間の間隔を所定の距離に維持させるとともに、第１基板と第２基板との高さをアンテナの配線長として利用することによって、アンテナの配線長を長く形成させている。
しかし、特許文献１記載のように、はんだを用いて２つの基板を電気的に接続させる場合には、はんだを溶融させる必要があるため、基板を加熱する必要が生じる。このため、耐熱性の低い基板に対しては、はんだを用いた実装方法は不向きである。  
また、超音波を用いて２つの基板を電気的に接続させることも知られている。但し、超音波接合では、基板に高い荷重がかかるため、耐久性の低い基板に対しては不向きである。
【０００５】
耐熱性・耐久性の低い基板に対して、導電性ペーストを用いた実装方法が知られている。導電性ペーストを用いた実装方法によれば、低温度・低荷重にて２つの基板を電気的に接続させることが可能である。
しかし、導電性ペーストを用いた場合、柔らかなペースト状の材料で２つの基板を電気的に接続させることになるため、特許文献１のように２つの基板の間隔を所定の距離に維持することが難しくなる。
【０００６】
本発明は、２つの基板の間隔を所定の距離に維持しつつ、導電性ペーストを用いて２つの基板を電気的に接続することを目的とする。
【課題を解決するための手段】
【０００７】
上記目的を達成するための主たる発明は、複数の第１パッドを有する第１基板と、複数の第２パッドを有する第２基板と、を備え、前記第１基板と前記第２基板とが電気的に接続されている基板モジュールであって、前記第１パッド及び前記第２パッドの少なくとも一方のパッドにスペーサが取り付けられており、前記スペーサが前記第１パッドと前記第２パッドとの間に挟まれた状態で、前記スペーサの挟まれていない前記第１パッドと前記第２パッドとが導電性ペーストによって接合されていることを特徴とする基板モジュールである。
【０００８】
本発明の他の特徴については、後述する明細書及び図面の記載により明らかにする。
【発明の効果】
【０００９】
本発明の幾つかの実施形態によれば、２つの基板の間隔を所定の距離に維持しつつ、導電性ペーストを用いて２つの基板を電気的に接続することができる。
【図面の簡単な説明】
【００１０】
【図１】図１Ａ〜図１Ｃは、第１実施形態の無線通信モジュール１の説明図である。
【図２】図２Ａ及び図２Ｂは、第１実施形態の無線通信モジュール１のＸ線検査画像を示している。図２Ｃは、スペーサ４１の無い比較例の場合のＸ線検査画像を示している。
【図３】図３Ａ〜図３Ｃは、第２実施形態の無線通信モジュール１の説明図である。
【図４】図４Ａ〜図４Ｃは、第３実施形態の無線通信モジュール１の説明図である。
【図５】図５Ａ及び図５Ｂは、比較例の説明図である。
【発明を実施するための形態】
【００１１】
後述する明細書及び図面の記載から、少なくとも以下の事項が明らかとなる。
【００１２】
複数の第１パッドを有する第１基板と、複数の第２パッドを有する第２基板と、を備え、前記第１基板と前記第２基板とが電気的に接続されている基板モジュールであって、前記第１パッド及び前記第２パッドの少なくとも一方のパッドにスペーサが取り付けられており、前記スペーサが前記第１パッドと前記第２パッドとの間に挟まれた状態で、前記スペーサの挟まれていない前記第１パッドと前記第２パッドとが導電性ペーストによって接合されていることを特徴とする基板モジュールが明らかとなる。このような基板モジュールによれば、２つの基板の間隔を所定の距離に維持しつつ、導電性ペーストを用いて２つの基板を電気的に接続することができる。
【００１３】
前記第１パッド及び前記第２パッドの少なくとも一方の２つのパッドに前記スペーサが取り付けられていることが望ましい。これにより、２つの基板の位置関係を検査可能である。
【００１４】
前記スペーサの取り付けられた前記パッドは、接地用のパッドであることが望ましい。これにより、動作への影響を与えずに済む。
【００１５】
前記スペーサは、Ｘ線検査時に検出可能に構成されていることが望ましい。これにより、Ｘ線検査時にスペーサを利用することができる。
【００１６】
前記第１パッドは、Ｘ線検査時に検出可能に構成されており、前記スペーサは、第２パッドに取り付けられていることが望ましい。これにより、Ｘ線検査画像において、第１パッドを示す画像とスペーサを示す画像との位置関係に基づいて、第１基板と第２基板との位置関係を検査可能である。
【００１７】
前記Ｘ線検査時の検査方向から見て、前記スペーサを挟んでいる前記第１パッドは、前記スペーサよりも大きいことが望ましい。これにより、Ｘ線検査が容易になる。
【００１８】
前記スペーサは、前記第１パッドと第２パッドのそれぞれに取り付けられており、前記第１パッドに取り付けられた前記スペーサの前記第１パッドとは反対側の端部と、前記第２パッドに取り付けられた前記スペーサの前記第２パッドとは反対側の端部とが接触していることが望ましい。これにより、２つの基板を広い間隔に保つことが可能になる。
【００１９】
前記スペーサは、金属層を積層させて構成されていることが望ましい。このような場合に、前記スペーサが前記第１パッドと第２パッドのそれぞれに取り付けられている構成が特に有利になる。
【００２０】
前記第１基板は、アンテナを有する配線基板であり、前記第２基板は、前記アンテナを制御する半導体チップであることが望ましい。これにより、半導体チップが高周波で動作する際に、配線基板の影響により特性が悪化することを抑制できる。
【００２１】
複数の第１パッドを有する第１基板と、複数の第２パッドを有する第２基板とを準備し、前記第１基板と前記第２基板とを電気的に接続することを行う基板モジュールの製造方法であって、前記第１パッド及び前記第２パッドの少なくとも一方のパッドにスペーサが取り付けられており、前記スペーサを前記第１パッドと前記第２パッドとの間に挟みつつ、前記スペーサの挟まれていない前記第１パッドと前記第２パッドとを導電性ペーストによって接合することが望ましい。このような基板モジュールの製造方法によれば、２つの基板の間隔を所定の距離に維持しつつ、導電性ペーストを用いて２つの基板を電気的に接続することができる。
【００２２】
＝＝＝第１実施形態＝＝＝
図１Ａ〜図１Ｃは、第１実施形態の無線通信モジュール１の説明図である。図１Ａは、第１実施形態の無線通信モジュール１の上面図であり、ここではアンテナ基板１０上に実装されている半導体チップ２０を透過させて図示している。図１Ｂは、第１実施形態の無線通信モジュール１の製造時の様子の説明図である。図１Ｃは、図１ＡのＡ−Ａ断面を示す図である。なお、以下の説明では、アンテナ基板１０の基板面に垂直な方向を「上下方向」とし、アンテナ基板１０から見て半導体チップ２０の側を「上」とし、逆側を「下」と呼ぶことがある。
【００２３】
第１実施形態の無線通信モジュール１は、ミリ波帯（３０〜３００ＧＨｚ）で無線通信を行うモジュールである。無線通信モジュール１は、アンテナ基板１０と、半導体チップ２０とを備えている。半導体チップ２０は、アンテナ基板１０上にフリップチップ実装されている。本実施形態では、アンテナ基板１０と半導体チップ２０との電気的な接続には、導電性ペースト３１が用いられている。
【００２４】
アンテナ基板１０は、半導体チップ２０を実装させる基板（第１基板）である。アンテナ基板１０は、基板本体１１と、配線パターン１２と、基板側パッド１３とを有している。
【００２５】
基板本体１１の上面には、配線パターン１２及び基板側パッド１３が形成されている。また、基板本体１１の上面には、半導体チップ２０の実装される領域（チップ実装領域：図１Ａの点線で示す領域）が設けられている。なお、基板本体１１には、誘電正接の小さい材料が用いられることが望ましい。これは、ミリ波帯（３０〜３００ＧＨｚ）の高周波で動作する無線通信モジュール１の場合、周波数が高くなるほど導体損失及び誘電体損失が大きくなるため、導体損失及び誘電体損失を抑えるように設計する必要があるためである。
【００２６】
配線パターン１２は、配線を構成するパターンであり、基板本体１１に形成されている。ここでは、配線パターン１２は基板本体１１の上面に形成されているが、配線パターン１２は、基板本体１１の内部や、基板本体１１の下面に形成されても良い。配線パターン１２には、信号を伝送するための信号線や、グランド電位となるグランド配線などが含まれている。また、本実施形態の配線パターン１２には、アンテナパターン１２Ａも含まれている。
【００２７】
基板側パッド１３は、半導体チップ２０と電気的に接続されるパッドである。基板側パッド１３は、主に配線パターン１２上に設けられており、基板本体１１の上面のチップ実装領域の内部に配置されている。
【００２８】
本実施形態の配線パターン１２や基板側パッド１３は、Ｘ線の吸収の多い材料で構成されている。具体的には、配線パターン１２や基板側パッド１３は、例えば銅や銅合金などを用いて構成されている。また、配線パターン１２は、銅配線に金メッキを施して構成されても良い。本実施形態の配線パターン１２や基板側パッド１３は、Ｘ線検査で検出可能である。
【００２９】
半導体チップ２０は、アンテナ基板１０（第１基板）に実装される基板（第２基板）である。本実施形態では、半導体チップ２０は、いわゆるＲＦＩＣチップである。ＲＦＩＣチップのように高周波で動作する半導体チップ２０は、アンテナ基板１０上の配線などの影響を受けて特性が悪化するおそれがあるため、本実施形態では、アンテナ基板１０と半導体チップ２０との間に間隔があけられている。このように、アンテナ基板１０と半導体チップ２０との間隔を所定の距離に保つことによって、誘電特性による伝送損失を抑えた構造になっている。
【００３０】
半導体チップ２０の下面には、複数のチップ側パッド２１が設けられている。チップ側パッド２１は、半導体チップ２０に設けられたパッド（接続端子）であり、基板側パッド１３と電気的に接続される。本実施形態では、スペーサ４１の設けられていないチップ側パッド２１と基板側パッド１３は、導電性ペースト３１によって接合される。
【００３１】
なお、本実施形態のチップ側パッド２１は、基板側パッド１３と比べてＸ線の吸収が少なく構成されており、基板側パッド１３と比べてＸ線検査で検出し難い構成である。チップ側パッド２１は、例えばアルミニウム等を用いて構成されている。
【００３２】
導電性ペースト３１は、アンテナ基板１０と半導体チップ２０とを電気的に接続するペースト状の導電性部材である。導電性ペースト３１は、硬化前は、ペースト状の部材であるため、比較的柔らかい部材である。但し、導電性ペースト３１は、硬化することによって、アンテナ基板１０と半導体チップ２０とを機械的に接合する接合部材としての機能も有する。導電性ペースト３１は、例えば、導電性粒子の分散した硬化性樹脂（導電性接着剤）で構成されている。導電性ペースト３１は、導電性金属粒子の分散した構成であるため、基板側パッド１３と比べてＸ線検査で検出し難い部材である。
【００３３】
図５Ａ及び図５Ｂは、比較例の説明図である。図５Ａは、アンテナ基板１０と半導体チップ２０との接合前の説明図である。図５Ｂは、アンテナ基板１０と半導体チップ２０との接合後の説明図であり、比較例の無線通信モジュール１の構成の説明図である。
【００３４】
比較例では、アンテナ基板１０の基板側パッド１３と、半導体チップ２０のチップ側パッド２１との間にスペーサ４１を挟まずに、基板側パッド１３とチップ側パッド２１とを導電性ペースト３１によって接合している。このような導電性ペースト３１を用いた接合方法によれば、はんだ接合や超音波接合と比べて、低温度・低荷重にて２つの基板（アンテナ基板１０及び半導体チップ２０）を電気的に接続させることが可能である。但し、導電性ペースト３１を用いた場合、柔らかなペースト状の材料で２つの基板（アンテナ基板１０及び半導体チップ２０）を電気的に接続させることになるため、２つの基板の間隔（図中の矢印に示す間隔）を所定の距離に維持することが難しくなる。また、２つの基板の間隔（図中の矢印に示す間隔）を所定の距離に維持させるには、接合時の２つの基板の間にかける荷重の制御が難しくなる。
【００３５】
ところで、既に説明したように、高周波動作時の損失抑制のためにアンテナ基板１０が誘電正接の小さい材料で構成されているが、それでも、半導体チップ２０（ＲＦＩＣ）は、高周波での動作時にアンテナ基板１０上の配線の影響を受けて、特性が悪化するおそれがある。このため、アンテナ基板１０と半導体チップ２０との間隔は、近接させ過ぎないように、所定の距離に維持させることが望ましく、本実施形態では、アンテナ基板１０と半導体チップ２０との間隔を５０μｍ以上にすることを想定している。但し、比較例に示す接合方法では、導電性ペースト３１が柔らかいため、アンテナ基板１０と半導体チップ２０との間隔が５０μｍとなるような荷重（２つの基板の間にかかる荷重）を設定することは極めて難しい。
【００３６】
そこで、本実施形態では、２つの基板（アンテナ基板１０及び半導体チップ２０）の接合時に、２つの基板の間隔を所定の距離に維持することを容易にするために、スペーサ４１（図１Ｂ及び図１Ｃ参照）が設けられている。
【００３７】
スペーサ４１は、２つの基板の間隔を所定距離に規定する部材である。本実施形態では、スペーサ４１は、アンテナ基板１０の基板側パッド１３Ａと半導体チップ２０のチップ側パッド２１との間に挟まれて配置されることにより、アンテナ基板１０と半導体チップ２０との間隔を所定距離に規定している。
【００３８】
スペーサ４１は、チップ側パッド２１に形成されている。チップ側パッド２１にスペーサ４１を設けることによって、スペーサ４１をバンプ（スペーサ用バンプ）として形成することができる（スペーサ４１をバンプと同様に形成することができる）。例えば、スペーサ４１は、銅ピラーや金スタッドバンプとして形成される。なお、スペーサ４１が銅ピラーの場合、半導体チップ２０の製造業者が、チップ側パッド２１に銅ピラーを予め形成した半導体チップ２０を製造し、スペーサ４１の形成済の半導体チップ２０を購入したモジュール製造業者が、図１Ｂに示すように、無線通信モジュール１を製造することになる。一方、スペーサ４１が金スタッドバンプの場合には、モジュール製造業者が、半導体チップ２０のチップ側パッド２１にスペーサ４１を後から取り付けることが可能である。
【００３９】
チップ側パッド２１にスペーサ４１が設けられることにより、図１Ｂに示すように、半導体チップ２０の下面において、スペーサ４１の下端（スペーサ４１のチップ側パッド２１とは反対側の端部）が、チップ側パッド２１よりも下側に突出する。そして、アンテナ基板１０と半導体チップ２０とを接合させるとき、図１Ｂに示すように、スペーサ４１の下端をアンテナ基板１０の側に向けて、アンテナ基板１０に半導体チップ２０を近づけて、スペーサ４１の下端をアンテナ基板１０の基板側パッド１３Ａに突き当てる（接触させる）ことになる。なお、チップ側パッド２１と電気的に接続すべき基板側パッド１３には、図１Ｂに示すように、導電性ペースト３１が予め塗布されている。
【００４０】
スペーサ４１の下端をアンテナ基板１０の基板側パッド１３Ａに突き当てると、図１Ｃに示すように、アンテナ基板１０の基板側パッド１３と半導体チップ２０のチップ側パッド２１との間に導電性ペースト３１が配置されるとともに、スペーサ４１が２つの基板の間で挟まれることになる。図１Ｃに示すように、スペーサ４１の下端がアンテナ基板１０（アンテナ基板１０の基板側パッド１３Ａ）に接触したとき、アンテナ基板１０と半導体チップ２０と間にかかる荷重が変化するため、その荷重の変化を検出した段階でアンテナ基板１０と半導体チップ２０との接近を停止すれば、２つの基板の間隔は、スペーサ４１の高さ（厚さ）に応じた距離（所定の距離）になる。なお、スペーサ４１の下端をアンテナ基板１０の基板側パッド１３Ａに突き当てた後、導電性ペースト３１を硬化させることによって、基板側パッド１３とチップ側パッド２１とが導電性ペースト３１によって接合されることになる。本実施形態によれば、図１Ｃに示すように、スペーサ４１が２つの基板のパッドの間に挟まれた状態で、スペーサ４１の挟まれていない基板側パッド１３とチップ側パッド２１とが導電性ペースト３１によって接合されるため、柔らかなペースト状の導電性ペースト３１が潰れずに済み、２つの基板の間隔を所定の距離に維持することができる。
【００４１】
本実施形態では、半導体チップ２０の３つのチップ側パッド２１にスペーサ４１が設けられている。このように、スペーサ４１が３つ設けられるとともに、２つのスペーサ４１を結ぶ直線上に、もう１つのスペーサ４１が配置されないことが望ましい。これにより、接合時のアンテナ基板１０に対する半導体チップ２０の姿勢を安定させることができ、２つの基板（アンテナ基板１０及び半導体チップ２０）の間隔を所定の距離に維持させやすくすることができる。但し、スペーサ４１の数は、３つに限られるものではなく、４つ以上でもよい。スペーサ４１が４つ以上設けられる場合においても、２つのスペーサ４１を結ぶ直線上に、他のスペーサ４１が配置されないことが望ましい。
【００４２】
なお、スペーサ４１の数は、３未満（１つ又は２つ）でもよい。スペーサ４１が１つであっても、スペーサ４１の下端がアンテナ基板１０の基板側パッド１３Ａに接触したときに、アンテナ基板１０と半導体チップ２０と間にかかる荷重が変化するため、接触検出することは可能である。また、スペーサ４１の数が３未満の場合、アンテナ基板１０に対する半導体チップ２０の平行を保ちつつ、スペーサ４１をアンテナ基板１０に接触させれば、２つの基板（アンテナ基板１０及び半導体チップ２０）の間隔を所定の距離に維持させることが可能である。また、スペーサ４１が少なくとも２つあれば、Ｘ線検査時にアンテナ基板１０と半導体チップ２０との位置関係が正常か異常かを判別可能になる。
【００４３】
３つ以上のスペーサ４１が設けられる場合、３つ以上のスペーサ４１によって囲まれた領域内に、導電性ペースト３１で電気的に接続されるパッド（基板側パッド１３やチップ側パッド２１）が配置されることが望ましい。言い換えると、３つ以上のスペーサ４１は、できるだけ半導体チップ２０の下面外側に配置されることが望ましい。これにより、接合時のアンテナ基板１０に対する半導体チップ２０の姿勢を安定させやすくなる。
【００４４】
半導体チップ２０の下面には多数のチップ側パッド２１が設けられており、そのうちの複数のチップ側パッド２１は、接地用のパッドとして構成されている。そして、本実施形態では、このような接地用のチップ側パッド２１に、スペーサ４１が設けられている。このため、チップ側パッド２１にスペーサ４１が設けられていても、半導体チップ２０の動作への影響を与えずに済む。
【００４５】
スペーサ４１は、基板本体１１の上面に設けられた基板側パッド１３Ａに接触する。これにより、スペーサ４１の高さ（厚さ）の分だけ基板側パッド１３とチップ側パッド２１との間隔をあけることができるため、これにより、アンテナ基板１０と半導体チップ２０との間隔を所定の距離に保つことができる。スペーサ４１の接触する基板側パッド１３Ａは、グランド配線に接続されていても良いし、配線パターン１２から独立していても良い。
【００４６】
本実施形態では、スペーサ４１の接触する基板側パッド１３Ａ（検査用パッド１３Ａ）は、Ｘ線検査時にも用いられる。このため、スペーサ４１の接触する基板側パッド１３Ａ（検査用パッド１３Ａ）は、他の基板側パッド１３と同様に、Ｘ線の吸収の多い材料で構成されており、Ｘ線検査で検出可能である。これにより、スペーサ４１の接触する基板側パッド１３Ａをアライメントマークとして機能させることができる。
【００４７】
本実施形態では、スペーサ４１の接触する基板側パッド１３Ａ（検査用パッド１３Ａ）は、Ｘ線検査を容易にするために、Ｘ線検査時の検査方向（アンテナ基板１０に対して垂直方向）から見て、スペーサ４１よりも大きく形成されている。具体的には、本実施形態では、検査用パッド１３Ａの直径は、スペーサ４１の直径よりも大きい。
【００４８】
図２Ａ及び図２Ｂは、第１実施形態の無線通信モジュール１をＸ線検査したときの画像（Ｘ線検査画像）を示している。図２Ａは、アンテナ基板１０と半導体チップ２０との位置関係が正常な場合のＸ線検査画像である。図２Ｂは、アンテナ基板１０と半導体チップ２０との位置関係に異常がある場合のＸ線検査画像である。図２Ａ及び図２Ｂには、Ｘ線検査時に検出される部材には、網掛けのハッチングが施されている。Ｘ線検査時に検出される部材には、配線パターン１２（アンテナパターン１２Ａも含む）、基板側パッド１３（検査用パッド１３Ａも含む）及びスペーサ４１が含まれている。なお、チップ側パッド２１や導電性ペースト３１は、Ｘ線の吸収量が少ないため、Ｘ線検出画像には現れない。
【００４９】
アンテナ基板１０と半導体チップ２０との位置関係が正常な場合（半導体チップ２０がアンテナ基板１０のチップ実装領域に正常に実装されている場合）、スペーサ４１の下端は、検査用パッド１３Ａの中央位置に突き当てられた状態になる（図１Ｃ参照）。このため、Ｘ線検査画像においてスペーサ４１を示す円形画像と検査用パッド１３Ａを示す円形画像との位置関係を検査すれば、アンテナ基板１０と半導体チップ２０との位置関係が正常か異常かを判別することができる。本実施形態では、スペーサ４１の直径よりも検査用パッド１３Ａの直径が大きいため、スペーサ４１を示す小円形画像と、検査用パッド１３Ａを示す大円形画像とが、同心円状に配置されていれば（図２Ａ参照）、アンテナ基板１０と半導体チップ２０との位置関係が正常であると判別できる。一方、スペーサ４１を示す小円形画像が、検査用パッド１３Ａを示す大円形画像の中心位置からずれていれば、アンテナ基板１０と半導体チップ２０との位置関係に異常があると判別できる。このように、スペーサ４１の直径よりも検査用パッド１３Ａの直径を大きくすることによって、Ｘ線検査を容易にすることができる。なお、スペーサ４１が検査用パッド１３Ａより大きい場合でも、スペーサ４１を示す画像と検査用パッドを示す画像との重複部分が濃くなるため、Ｘ線検査は可能である。また、スペーサ４１と検査用パッド１３Ａの大きさが同程度であっても、スペーサ４１を示す画像と検査用パッド１３Ａを示す画像との位置関係を検査することによって、アンテナ基板１０と半導体チップ２０との位置関係が正常か異常かを判別することは可能である。
【００５０】
図２Ｃは、スペーサ４１の無い比較例の場合のＸ線検査画像を示している。半導体チップ２０にスペーサ４１が取り付けられていない場合（図５Ｂ参照）、図２Ｃに示すように、Ｘ線検査画像に基づいて半導体チップ２０の位置を検出できなくなる。これに対し、本実施形態では、半導体チップ２０のチップ側パッド２１にスペーサ４１を設けることによって、図２Ａ及び図２Ｂに示すように、Ｘ線検査画像に基づいて、アンテナ基板１０と半導体チップ２０との位置関係の検出が可能になるという効果が得られる。なお、この効果は、２つの基板の間隔を所定距離に規定するというスペーサ４１としての効果と比べると、異質な効果（顕著な効果）ということができる。
【００５１】
図２Ａ及び図２Ｂに示すように、本実施形態では、スペーサ４１は、Ｘ線検査時に検出可能に構成されている。このため、スペーサ４１は、チップ側パッド２１と比べて、Ｘ線検査で検出しやすく構成されている。具体的には、スペーサ４１は、チップ側パッド２１と比べて、次式の強度Ｉが大きくなるように構成されている。
【００５２】
【数１】
2019016678.tif 000003
【００５３】
上式において、Ｉ０は、入射線（ガンマ線）の強度である。Ｉは、吸収層を通過した後の強度である。ｄは、吸収層の厚さである。μは、吸収係数である。ρは、密度である。ωは、吸収層の厚さｄを面積質量で表した時の吸収係数である。スペーサ４１は、チップ側パッド２１と比べて、質量吸収係数（μ／ρ）が高い材料であることが望ましい。ここでは、スペーサ４１は、上述の通り、例えば銅や金などを用いて構成されている。また、スペーサ４１は、チップ側パッド２１と比べて、厚く形成されても良い。
【００５４】
＝＝＝第２実施形態＝＝＝
前述の第１実施形態では、スペーサ４１は、チップ側パッド２１に取り付けられていた。但し、スペーサ４１は、基板側パッド１３とチップ側パッド２１の少なくとも一方のパッドに取り付けられていれば良い。第２実施形態では、スペーサ４１は、基板側パッド１３とチップ側パッド２１の両方のパッドに取り付けられている。
【００５５】
図３Ａ〜図３Ｃは、第２実施形態の無線通信モジュール１の説明図である。図３Ａは、第２実施形態の無線通信モジュール１の上面図であり、ここではアンテナ基板１０上に実装されている半導体チップ２０を透過させて図示している。言い換えると、図３Ａは、無線通信モジュール１をＸ線検査したときの画像（Ｘ線検査画像）を示している。図３Ａでは、Ｘ線検査時に検出される部材には、網掛けのハッチングが施されている。図３Ｂは、第２実施形態の無線通信モジュール１の製造時の様子の説明図である。図３Ｃは、図３ＡのＢ−Ｂ断面を示す図である。
【００５６】
図３Ｂに示すように、第２実施形態では、スペーサ４１は、基板側パッド１３とチップ側パッド２１の両方のパッドに取り付けられている。このため、図３Ｂに示すように、アンテナ基板１０の上面において、基板側パッド１３に取り付けられたスペーサ４１の上端（スペーサ４１の基板側パッド１３とは反対側の端部）が、基板側パッド１３よりも上側に突出するとともに、半導体チップ２０の下面において、チップ側パッド２１に取り付けられたスペーサ４１の下端（スペーサ４１のチップ側パッド２１とは反対側の端部）が、チップ側パッド２１よりも下側に突出する。そして、アンテナ基板１０と半導体チップ２０とを接合させるとき、図３Ｂに示すように、基板側パッド１３に取り付けられたスペーサ４１の上端と、チップ側パッド２１に取り付けられたスペーサ４１の下端とを突き当てる（接触させる）ことになる。なお、チップ側パッド２１と電気的に接続すべき基板側パッド１３には、図３Ｂに示すように、導電性ペースト３１が予め塗布されている。
【００５７】
スペーサ４１同士を互いに突き当てると、図３Ｃに示すように、アンテナ基板１０の基板側パッド１３と半導体チップ２０のチップ側パッド２１との間に導電性ペースト３１が配置されるとともに、スペーサ４１が２つの基板のパッドの間に挟まれることになる。第２実施形態においても、スペーサ４１によって２つの基板の間隔が所定の距離に規定され、柔らかなペースト状の導電性ペースト３１が潰れずに済む。なお、半導体チップ２０のチップ側パッド２１に取り付けられたスペーサ４１の下端をアンテナ基板１０の基板側パッド１３に取り付けたスペーサ４１の上端に突き当てた後、導電性ペースト３１を硬化させることによって、スペーサ４１の挟まれていない基板側パッド１３とチップ側パッド２１とが導電性ペースト３１によって接合されることになる。
【００５８】
第２実施形態においても、図３Ｃに示すように、スペーサ４１がアンテナ基板１０の基板側パッド１３Ａと半導体チップ２０のチップ側パッド２１との間に挟まれた状態で、スペーサ４１の挟まれていない基板側パッド１３とチップ側パッド２１とが導電性ペースト３１によって接合されている。これにより、柔らかなペースト状の導電性ペースト３１が潰れずに済み、２つの基板（アンテナ基板１０と半導体チップ２０）の間隔を所定の距離に維持することができる。
【００５９】
第２実施形態のように、スペーサ４１が基板側パッド１３とチップ側パッド２１の両方のパッドに取り付けられることにより、２つの基板（アンテナ基板１０と半導体チップ２０）を広い間隔に保つことが可能になる。例えば、アンテナ基板１０や半導体チップ２０の小型化に伴って、基板側パッド１３やチップ側パッド２１が小型化した場合には、パッドに取り付け可能なスペーサ４１の高さ（厚さ）に制約が生じることがあるため、このような状況下で２つの基板（アンテナ基板１０と半導体チップ２０）を広い間隔に保ちたい場合に、スペーサ４１が基板側パッド１３とチップ側パッド２１の両方のパッドに取り付けられることが望ましい。具体的には、銅ピラーのように金属層をパッドに積層させてスペーサ４１を形成させる場合には、スペーサ４１の高さがパッドの面積に依存するため、基板側パッド１３やチップ側パッド２１の面積が小さくなると、パッドに積層可能なスペーサ４１が低くなってしまうので、このような状況下でスペーサ４１が基板側パッド１３とチップ側パッド２１の両方のパッドに取り付けられることが好ましい。
【００６０】
第２実施形態においても、スペーサ４１は、Ｘ線検査時に検出可能に構成されている。このため、Ｘ線検査画像において、基板側パッド１３のスペーサ４１を示す円形画像と、チップ側パッド２１のスペーサ４１を示す円形画像との位置関係を検査すれば、アンテナ基板１０と半導体チップ２０との位置関係が正常か異常かを判別することができる。例えば、図３Ａに示すＸ線検査画像では、基板側パッド１３のスペーサ４１を示す円形画像と、チップ側パッド２１のスペーサ４１を示す円形画像とが重なっていることに基づいて、アンテナ基板１０と半導体チップ２０との位置関係が正常であることを判別できる。
【００６１】
＝＝＝第３実施形態＝＝＝
既に説明したように、スペーサ４１は、基板側パッド１３とチップ側パッド２１の少なくとも一方のパッドに取り付けられていれば良い。第３実施形態では、スペーサ４１は、チップ側パッド２１には取り付けられておらず、基板側パッド１３に取り付けられている。
【００６２】
図４Ａ〜図４Ｃは、第３実施形態の無線通信モジュール１の説明図である。図４Ａは、第３実施形態の無線通信モジュール１の上面図であり、ここではアンテナ基板１０上に実装されている半導体チップ２０を透過させて図示している。図４Ｂは、第３実施形態の無線通信モジュール１の製造時の様子の説明図である。図４Ｃは、図４ＡのＣ−Ｃ断面を示す図である。
【００６３】
図４Ｂに示すように、第３実施形態では、スペーサ４１は、基板側パッド１３に取り付けられている。このため、図４Ｂに示すように、アンテナ基板１０の上面において、スペーサ４１の上端が、基板側パッド１３よりも上側に突出する。そして、アンテナ基板１０と半導体チップ２０とを接合させるとき、図４Ｂに示すように、スペーサ４１の上端とチップ側パッド２１とを突き当てることになる。なお、チップ側パッド２１と電気的に接続すべき基板側パッド１３には、図４Ｂに示すように、導電性ペースト３１が予め塗布されている。
【００６４】
スペーサ４１の上端をチップ側パッド２１に突き当てると、図４Ｃに示すように、アンテナ基板１０の基板側パッド１３と半導体チップ２０のチップ側パッド２１との間に導電性ペースト３１が配置されるとともに、スペーサ４１が２つの基板のパッドの間に挟まれることになる。第３実施形態においても、スペーサ４１によって２つの基板の間隔が所定の距離に規定され、柔らかなペースト状の導電性ペースト３１が潰れずに済む。スペーサ４１の上端を半導体チップ２０のチップ側パッド２１に突き当てた後、導電性ペースト３１を硬化させることによって、スペーサの挟まれていない基板側パッド１３とチップ側パッド２１とが導電性ペースト３１によって接合されることになる。
【００６５】
第３実施形態では、半導体チップ２０の側には、Ｘ線検査時に検出可能な部材（例えばスペーサ４１）が設けられていない。このため、第３実施形態の構成では、Ｘ線検査画像（図４Ａ参照）に基づいてアンテナ基板１０と半導体チップ２０との位置関係を判別することは難しい。但し、第３実施形態においても、図４Ｃに示すように、スペーサ４１がアンテナ基板１０の基板側パッド１３Ａと半導体チップ２０のチップ側パッド２１との間に挟まれた状態で、スペーサ４１の挟まれていない基板側パッド１３とチップ側パッド２１とが導電性ペースト３１によって接合されている。このため、第３実施形態においても、柔らかなペースト状の導電性ペースト３１が潰れずに済むため、２つの基板（アンテナ基板１０と半導体チップ２０）の間隔を所定の距離に維持することができる。
【００６６】
＝＝＝別の実施形態＝＝＝
上記の実施形態では、アンテナを有するアンテナ基板１０（第１基板）と、アンテナを制御する半導体チップ２０（第２基板）とを備えた無線通信モジュールについて説明したが、２つの基板を備えた基板モジュールは、アンテナを備えた無線通信モジュールに限られるものではない。
【００６７】
すなわち、複数の第１パッドを有する第１基板と、複数の第２パッドを有する第２基板とを備え、第１基板と第２基板とを電気的に接続した基板モジュールにおいても、前述の実施形態の技術を適用可能である。この場合、第１パッド及び第２パッドの少なくとも一方のパッドにスペーサ４１が取り付けられており、スペーサ４１が第１パッドと第２パッドとの間で挟まれた状態で、スペーサ４１の挟まれていない第１パッドと第２パッドとが導電性ペースト３１によって接合されていれば、柔らかなペースト状の導電性ペースト３１が潰れずに済むため、２つの基板の間隔を所定の距離に維持することができる。
【００６８】
一方、上記の実施形態のようにミリ波帯（３０〜３００ＧＨｚ）の高周波で動作する無線通信モジュール１の場合、高周波で動作する半導体チップ２０（ＲＦＩＣ）は、アンテナ基板１０上の配線の影響を受けて特性が悪化するおそれがあるため、アンテナ基板１０に対して所定の距離に維持させることが望ましい。このため、スペーサ４１が第１基板と第２基板との間で挟まれた状態で、第１パッドと第２パッドとが導電性ペースト３１によって接合される構成は、特に無線通信モジュール１に用いられることが望ましい。
【００６９】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００７０】
１  無線通信モジュール、
１０  アンテナ基板（第１基板）、１１  基板本体、
１２  配線パターン、１２Ａ  アンテナパターン、
１３  基板側パッド（第１パッド）、１３Ａ検査用パッド、
２０  半導体チップ（第２基板）、２１  チップ側パッド（第２パッド）、
３１  導電性ペースト、４１  スペーサ
【図１】
2019016678.tif 000004
【図２】
2019016678.tif 000005
【図３】
2019016678.tif 000006
【図４】
2019016678.tif 000007
【図５】
2019016678.tif 000008